(57)【要約】  【課題】  移植を実施する際の人的な手間を比較的少なくすることができて、作業が比較的容易であり、且つサンゴ自体の生存を損なう要因を少なくすることができる移植方法を提供する。  【解決手段】  サンゴ群体１が着床している岩石３を海底２から切断し、このサンゴ群体が着床した状態を維持しながら岩石を船舶５などの搬送手段により所定の海域まで搬送し、この所定海域における海底にセメント混合物７を打設して移築基盤８を形成し、このセメント混合物が硬化する前に移築基盤上にサンゴ群体着床岩石３を配置して固定する。【選択図】      図１
2005124496.tif 000002
【特許請求の範囲】
【請求項１】
サンゴ群体が着床している岩石を海底から切断し、該サンゴ群体が着床した状態を維持しながら該岩石を船舶などの搬送手段により所定の海域まで搬送し、該所定海域における海底にセメント混合物を打設して移築基盤を形成し、該セメント混合物が硬化する前に前記移築基盤上に前記岩石を配置して固定することを特徴とするサンゴ群体の移築方法。
【請求項２】
前記岩石を所定海域まで搬送する工程において、
前記搬送手段からワイヤーロープなどの懸吊手段を海中に延長し、該懸吊手段により前記岩石を海中に吊り上げた状態で搬送することを特徴とする請求項１に記載のサンゴ群体の移築方法。
【請求項３】
前記セメント混合物は石炭灰を含むものである請求項１または請求項２に記載のサンゴ群体の移築方法。
【発明の詳細な説明】
【技術分野】
【０００１】
本発明は、海底から切り離したサンゴ群体を他の場所に移築する方法に関する。
【背景技術】
【０００２】
温暖化や開発行為などの人為的な影響により減少しつつあるサンゴ礁について、近年、人々の関心が高まり、サンゴ礁の再生や創造技術が求められている。これに対して、サンゴを移植したり、増殖させる技術が種々提案されるに至っており、このような技術としては、例えば、サンゴ群体からサンゴの破片を採取し、この破片をステンレス釘や接着剤などで基体に固定する移植方法が、特公平３−６４０８９号公報（特許文献１）に記載されている。しかしながら、このようにサンゴの破片を一本ずつ移植する方法では、比較的大規模な移植を実施しようとする場合に、多数の作業員の手間を要してコストの上昇に繋がるため、あまり実用的ではない。
【０００３】
また特開２００３−９７１３号公報（特許文献２）には、サンゴの親株から複数の子株を切断し、これら子株を馴化装置内に入れて移植海域で飼育した後に岩盤に移植する方法が記載されているが、これについても、比較的広い範囲に及ぶ移植では、作業に手間が掛かりすぎる点で同様に実用的とは言えない。さらに、特許文献１及び２の両方法とも、サンゴの破片を採取したり、或いは、親株から複数の子株を切断するものであるため、サンゴ自体が損傷を受け、移植後に生存し続けることが容易ではないという問題がある。
【０００４】
【特許文献１】特公平３−６４０８９号公報
【特許文献２】特開２００３−９７１３号公報
【発明の開示】
【発明が解決しようとする課題】
【０００５】
本発明は上記のような問題点を解決するためになされたものであり、その課題は、移植を実施する際の人的な手間を比較的少なくすることができて、作業が比較的容易であり、且つサンゴ自体の生存を損なう要因を少なくすることができる移植方法を提供することである。
【課題を解決するための手段】
【０００６】
上記課題を解決するために、本発明によれば、サンゴ群体が着床している岩石を海底から切断し、該サンゴ群体が着床した状態を維持しながら該岩石を船舶などの搬送手段により所定の海域まで搬送し、該所定海域における海底にセメント混合物を打設して移築基盤を形成し、該セメント混合物が硬化する前に前記移築基盤上に前記岩石を配置して固定することを特徴とするサンゴ群体の移築方法が提供される。
本発明では、上述のように、サンゴ群体を、岩石に着床したままの状態で海底から切り離し、この岩石ごと所定海域まで搬送して移築するので、従来技術のように、サンゴ自体を破片や子株に切断するなどして損傷やストレスを与えることがなく、移築後の生存を確実にすることができる。また本発明では、従来技術のように、サンゴ破片や子株を一本ずつ移植する必要がないため、手間が省けて作業が比較的容易である。さらに、本発明では、移築対象海域の海底に、セメント混合物により移築基盤を形成し、このセメント混合物が硬化する前に、サンゴ群体の着床岩石を設置して固定するので、セメント混合物の表面には岩石の下面に係合するように凹凸が形成され、比較的容易かつ確実にサンゴ着床岩石が固定され得るものである。
【０００７】
また本発明では、前記岩石を所定海域まで搬送する工程において、前記搬送手段からワイヤーロープなどの懸吊手段を海中に延ばし入れて、この懸吊手段により前記岩石を海中に吊り上げた状態で搬送することが好ましい。このようにサンゴ着床岩石を海中に吊り上げた状態で搬送するので、搬送手段としての船舶などの甲板に仮置き場所を設ける必要が無く、搬送手段の甲板などへ引き上げる場合に比べれば、その作業を容易化することができて、かつ、大気中にサンゴが曝されることによるストレスを避けることができる。
【０００８】
さらに、本発明では、前記セメント混合物として石炭灰を含むものを採用することができる。このようなセメント混合物としては、例えば、石炭火力発電所等から出荷された石炭灰、セメント、海水又は水をミキサーで混合して生成することができる。この石炭灰の単位容積重量はセメントの５〜６倍程度にしても良く、このように石炭灰を多量に含む配合にすれば、石炭灰の硬化作用により強度の低減も生じず、セメントの粘性が増して海水の濁りの発生を抑制することができる。さらに、セメント混合物を海底に打設したときの海中ｐＨの上昇を抑制することができて、サンゴに加わるストレスを少なくすることができる。
参考までに附言すれば、一般的に海水のｐＨは約８．２程度であり、従来のコンクリートを海中に打設したときのｐＨは一時的に９．０以上になり、サンゴが生存し得る海水ｐＨの限界は８．５程度であるが、上述のように、石炭灰を多量に含むセメント混合物ではｐＨ８．２〜８．５程度に抑制することができる。
【発明の効果】
【０００９】
本発明では、サンゴ着床岩石を海底から切断し、これを船舶などの搬送手段により所定の海域まで搬送して移植を実施するので、作業が比較的容易であり、且つ作業員による手間を比較的少なくすることができる。また本発明では、サンゴが着床している岩石ごと他の海域に移築する手法を採用するものであるため、従来のようにサンゴを海底岩石から切断して採取するといった手法を要することなく、サンゴに加わるストレスを少なくすることができる。
【発明を実施するための最良の形態】
【００１０】
以下、本発明の実施の形態について図面を用いて説明するが、本発明はこれらに限定されるものではない。図１（ａ）〜（ｄ）は、本発明を構成する幾つかの工程を模式的に図示したものである。
本発明では、最初に、サンゴ群体１が着床している岩盤を海底２から切断し、この切断した岩石３に、図１（ａ）に示したようにワイヤーロープ４を巻き付ける。このワイヤーロープ４は作業船５から海中に延ばし入れたものであり、作業船５から送り出した潜水士６によりサンゴ群体着床岩石３に巻き付けられる。一方、サンゴ群体着床岩石３の切断作業は、作業船５から潜水した潜水士６が海中において切断装置（図示せず）を操作して行なうか、或いは、水中カメラ（図示せず）の映像を作業船５上の操作室（図示せず）で見ながら切断装置を遠隔制御して行なう。
【００１１】
サンゴ群体着床岩石３の切断作業とワイヤーロープ４の捲回作業が終了したら、ワイヤーロープ４を作業船５上のウインチ（図示せず）で巻上げてサンゴ群体着床岩石３が海面から突出しない程度に上昇させる。サンゴ群体着床岩石３は、図１（ｂ）に示したように海中でワイヤーロープ４により懸吊された状態に保たれ、移動中も海底に接触することなく、作業船５で移築予定海域まで搬送される。
【００１２】
一方、サンゴ群体１を移築する海域では、図１（ｃ）に示したように海底にセメント混合物７を打設して移築基盤８を形成する。このセメント混合物７は、海上の作業船５上で生成するか、或いは、移築基盤８の予定地付近の浜に材料混合プラント（図示せず）を設けて行なう。またセメント混合物は、作業船或いは陸上の材料混合プラントから海底の予定地点まで延ばされたダクト９を通して圧送され、このダクト９の先端は潜水士６により打設箇所へ導かれる。このような移築基盤８は、移築予定地点にセメント混合物７を打設するだけで形成されるものであるため、その施工は比較的容易に行うことができる。なお、移築基盤８の形成工程を実施するタイミング、すなわち、サンゴ群体着床岩石３の搬送工程との時間的な前後関係は、海底に打設したセメント混合物７が硬化する前に、その上にサンゴ群体着床岩石３を設置し得るようなタイミングに設定される。
【００１３】
海底に移築基盤８が形成されたら、作業船５上のウインチを巻出してサンゴ群体着床岩石３を移築基盤８の上に降ろし、潜水士６がワイヤーロープ４を取り外す。このとき、サンゴ群体着床岩石３は、その自重あるいは何らかの手段により移築基盤８に押し付けられて移築基盤８中に若干沈められ、図１（ｄ）に示したように、岩石下面３ａが移築基盤８に馴染むように相互に係合される。この係合状態は、サンゴ群体着床岩石３が海流の力を受けても流されないように形成される。
以上の各工程を繰り返すことにより、サンゴ群体が比較的広い範囲に棲息しているような場合にも、比較的少ない手間で、しかも、サンゴに与える損傷やストレスを少なく抑制しながら、サンゴ群体を他の海域に移築することができる。
【図面の簡単な説明】
【００１４】
【図１】（ａ）〜（ｄ）は本発明を構成する幾つかの工程を模式的に図示したものである。
【符号の説明】
【００１５】
１  サンゴ群体
２  海底２
３  サンゴ群体着床岩石
４  ワイヤーロープ
５  作業船
６  潜水士
７  セメント混合物
８  移築基盤
【図１】
2005124496.tif 000003